(57)【要約】【課題】個人携帯端末機に採用可能であるように小型化された光ポインティングモジュール及び電子装置を提供する。【解決手段】本発明は、印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記外部ハウジングの内部面に相接する接触面を備え、前記接触面と前記通過溝が形成される面は互いに高さが相異なる内部ハウジングを含むことを特徴とする光ポインティングモジュール及び電子装置を提供する。【選択図】図３
2011221986.tif 000002
【特許請求の範囲】
【請求項１】
印刷回路基板上に取付けられるレーザー光源；
前記レーザー光源から放出されるレーザー光が透過される外部ハウジング；
前記印刷回路基板上に位置し、外部刺激によって前記外部ハウジングから反射されるレーザー光を受光して集積回路に電気的信号を伝達する受光部；及び
前記外部ハウジングの内部に収容されて前記レーザー光が通過される通過溝が備えられ、前記外部ハウジングの内部面に相接する接触面を備え、前記接触面と前記通過溝が形成される面は互いに高さが相異なる内部ハウジング
を含むことを特徴とする光ポインティングモジュール。
【請求項２】
前記内部ハウジングの前記通過溝が形成される面は前記接触面で陥没されることを特徴とする請求項１に記載の光ポインティングモジュール。
【請求項３】
前記内部ハウジングの前記通過溝の底面には前記レーザー光源から放出するレーザー光を透過させる透過ホールと、前記外部ハウジングから反射されるレーザー光を受光させるための受光ホールを備えることを特徴とする請求項１に記載の光ポインティングモジュール。
【請求項４】
前記受光部は、前記外部ハウジングから反射されるレーザー光を受光するイメージセンサーを備えることを特徴とする請求項１に記載の光ポインティングモジュール。
【請求項５】
前記内部ハウジングはポリカーボネート材質からなることを特徴とする請求項１に記載の光ポインティングモジュール。
【請求項６】
前記レーザー光源は垂直共振器表面発光レーザーであることを特徴とする請求項１に記載の光ポインティングモジュール。
【請求項７】
前記印刷回路基板の下面に形成されたドームスイッチをさらに含むことを特徴とする請求項１に記載の光ポインティングモジュール。
【請求項８】
前記受光ホールの面積は前記透過ホールの面積より大きいことを特徴とする請求項３に記載の光ポインティングモジュール。
【請求項９】
印刷回路基板上に取付けられるレーザー光源；
前記レーザー光源から放出されるレーザー光が透過される外部ハウジング；
前記印刷回路基板上に位置し、外部刺激によって前記外部ハウジングから反射されるレーザー光を受光して集積回路に電気的信号を伝達する受光部；及び
前記外部ハウジングの内部に収容されて前記レーザー光が通過される通過溝が備えられ、前記通過溝の底面には前記レーザー光源から放出するレーザー光を透過させる透過ホールと前記外部ハウジングから反射されるレーザー光を受光させるための受光ホールを備える内部ハウジング
を含むことを特徴とする光ポインティングモジュール。
【請求項１０】
前記内部ハウジングの前記通過溝の底面には前記受光ホールの縁に沿って前記通過溝の底面から前記受光ホールまであらかじめ設定された勾配を有する開口面が備えられることを特徴とする請求項９に記載の光ポインティングモジュール。
【請求項１１】
前記内部ハウジングの前記通過溝の底面には前記透過ホールの縁に沿って前記通過溝の底面から前記透過ホールまであらかじめ設定された勾配を有する開口面が備えられることを特徴とする請求項９に記載の光ポインティングモジュール。
【請求項１２】
前記受光部は前記外部ハウジングから反射されるレーザー光を受光するイメージセンサーを備えることを特徴とする請求項９に記載の光ポインティングモジュール。
【請求項１３】
前記内部ハウジングはポリカーボネート材質からなることを特徴とする請求項９に記載の光ポインティングモジュール。
【請求項１４】
前記レーザー光源は垂直共振器表面発光レーザーであることを特徴とする請求項９に記載の光ポインティングモジュール。
【請求項１５】
前記内部ハウジングは外部ハウジング内部面に相接する接触面をさらに備え、
前記内部ハウジングの前記通過溝が形成される面は前記接触面で陥没されることを特徴とする請求項１０または１１に記載の光ポインティングモジュール。
【請求項１６】
前記印刷回路基板の下面に形成されたドームスイッチをさらに含むことを特徴とする請求項９に記載の光ポインティングモジュール。
【請求項１７】
前記受光ホールの面積は前記透過ホールの面積より大きいことを特徴とする請求項９に記載の光ポインティングモジュール。
【請求項１８】
印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記外部ハウジングの内部面に相接する接触面を備え、前記接触面と前記通過溝が形成される面は互いに高さが相異なる内部ハウジングを有する光ポインティングモジュール；
前記光ポインティングモジュールを収納し、前記外部ハウジングを外部に露出させるケーシング；及び
前記光ポインティングモジュールの前記集積回路の信号処理によってイメージを表示するディスプレー
を含むことを特徴とする電子装置。
【請求項１９】
前記内部ハウジングの前記通過溝が形成される面は前記接触面で陥没されることを特徴とする請求項１８に記載の電子装置。
【請求項２０】
前記内部ハウジングの前記通過溝の底面には前記レーザー光源から放出するレーザー光を透過させる透過ホールと、前記外部ハウジングから反射されるレーザー光を受光させるための受光ホールを備えることを特徴とする請求項１８に記載の電子装置。
【請求項２１】
前記受光部は、前記外部ハウジングから反射されるレーザー光を受光するイメージセンサーを備えることを特徴とする請求項１８に記載の電子装置。
【請求項２２】
前記内部ハウジングはポリカーボネート材質からなることを特徴とする請求項１８に記載の電子装置。
【請求項２３】
前記レーザー光源は垂直共振器表面発光レーザーであることを特徴とする請求項１８に記載の電子装置。
【請求項２４】
前記印刷回路基板の下面に形成されたドームスイッチをさらに含むことを特徴とする請求項１８に記載の電子装置。
【請求項２５】
前記受光ホールの面積は前記透過ホールの面積より大きいことを特徴とする請求項２０に記載の電子装置。
【請求項２６】
印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記通過溝の底面には前記レーザー光源から放出するレーザー光を透過させる透過ホールと前記外部ハウジングから反射されるレーザー光を受光させるための受光ホールを備える内部ハウジングを有する光ポインティングモジュール；
前記光ポインティングモジュールを収納し、前記外部ハウジングを外部に露出させるケーシング；及び
前記光ポインティングモジュールの前記集積回路の信号処理によってイメージを表示するディスプレー
を含むことを特徴とする電子装置。
【請求項２７】
前記内部ハウジングの前記通過溝の底面には前記受光ホールの縁に沿って前記通過溝の底面から前記受光ホールまであらかじめ設定された勾配を有する開口面が備えられることを特徴とする請求項２６に記載の電子装置。
【請求項２８】
前記内部ハウジングの前記通過溝の底面には前記透過ホールの縁に沿って前記通過溝の底面から前記透過ホールまであらかじめ設定された勾配を有する開口面が備えられることを特徴とする請求項２６に記載の電子装置。
【請求項２９】
前記受光部は前記外部ハウジングから反射されるレーザー光を受光するイメージセンサーを備えることを特徴とする請求項２６に記載の電子装置。
【請求項３０】
前記内部ハウジングはポリカーボネート材質からなることを特徴とする請求項２６に記載の電子装置。
【請求項３１】
前記レーザー光源は垂直共振器表面発光レーザーであることを特徴とする請求項２６に記載の電子装置。
【請求項３２】
前記内部ハウジングは外部ハウジング内部面に相接する接触面をさらに備え、
前記内部ハウジングの前記通過溝が形成される面は前記接触面で陥没されることを特徴とする請求項２７または２８に記載の電子装置。
【請求項３３】
前記印刷回路基板の下面に形成されたドームスイッチをさらに含むことを特徴とする請求項２６に記載の電子装置。
【請求項３４】
前記受光ホールの面積は前記透過ホールの面積より大きいことを特徴とする請求項２６に記載の電子装置。
【発明の詳細な説明】
【技術分野】
【０００１】
本発明は光ポインティングモジュール及び電子装置に関するもので、さらに詳細には、個人携帯端末機に採用可能であるように小型化された光ポインティングモジュール及び電子装置に関する。
【背景技術】
【０００２】
一般的に、携帯電話やスマートホンなどの個人携帯端末機はキーパッドを用いた使用者インターフェースを採用していて、数字及び文字を入力するための複数個のボタンと方向ボタンで構成されたキーパッドを備えている。
【０００３】
また、近頃はワイブロ（ＷＩＢＲＯ：Ｗｉｒｅｌｅｓｓ  ｂｒｏａｄｂａｎｄ）サービスなどのような無線インターネットサービスが常用化されるにつれて、個人携帯端末機にも、使用者がコンピューターと情報を交換する時、グラフィックを通じて作業することができる環境であるＧＵＩ（Ｇｒａｐｈｉｃａｌ  ｕｓｅｒ  ｉｎｔｅｒｆａｃｅ）の運営体制が採用されている。
【０００４】
即ち、マウスなどを用いて画面にあるメニューを選択して作業することができるＧＵＩ（Ｇｒａｐｈｉｃａｌ  ｕｓｅｒ  ｉｎｔｅｒｆａｃｅ）の運営体制が個人携帯端末機の使用者インターフェースとして用いられることにより、個人携帯端末機に適する入力装置の開発が切実に求められている実情である。
【０００５】
このような実情に応じて、個人携帯端末機のディスプレー画面でキーパッドのように順次的に選択するモノ方式を改善したタッチキー、ジョイスティックなどが登場している。
【０００６】
しかし、従来のタッチキー及びジョイスティックなどは物理的に一定以上の空間を占めるため、小さくて薄い小型器機に採用されることが困難であるという問題点がある。
【発明の概要】
【発明が解決しようとする課題】
【０００７】
上述の問題点を解決するために、本発明は個人携帯端末機に採用可能であるように小型化された光ポインティングモジュール及び電子装置を提供することを目的とする。
【課題を解決するための手段】
【０００８】
上述の目的を達成するために、本発明の一つの技術的な側面は、印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記外部ハウジングの内部面に相接する接触面を備え、前記接触面と前記通過溝が形成される面は互いに高さが相異なる内部ハウジングを含むことを特徴とする光ポインティングモジュールを提供するものである。
【０００９】
本発明の一つの技術的な側面によると、前記内部ハウジングの前記通過溝が形成される面は前記接触面で陥没されることができる。
【００１０】
本発明の一つの技術的な側面によると、前記内部ハウジングの前記通過溝の底面には前記レーザー光源から放出するレーザー光を透過させる透過ホールと、前記外部ハウジングから反射されるレーザー光を受光させるための受光ホールを備えることができる。
【００１１】
本発明の一つの技術的な側面によると、前記受光部は、前記外部ハウジングから反射されるレーザー光を受光するイメージセンサーを備えることができる。
【００１２】
本発明の一つの技術的な側面によると、前記内部ハウジングはポリカーボネート（Ｐｏｌｙｃａｒｂｏｎａｔｅ）材質からなることができる。
【００１３】
本発明の一つの技術的な側面によると、前記レーザー光源は垂直共振器表面発光レーザー（Ｖｅｒｔｉｃａｌ−Ｃａｖｉｔｙ  Ｓｕｒｆａｃｅ−Ｅｍｉｔｔｉｎｇ  Ｌａｓｅｒ；ＶＣＳＥＬ）であることができる。
【００１４】
本発明の一つの技術的な側面によると、前記印刷回路基板の下面に形成されたドーム（ｄｏｍｅ）スイッチをさらに含むことができる。
【００１５】
本発明の一つの技術的な側面によると、前記受光ホールの面積は前記透過ホールの面積より大きくすることができる。
【００１６】
上述の目的を達成するために、本発明の他の技術的な側面は、印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記通過溝の底面には前記レーザー光源から放出するレーザー光を透過させる透過ホールと前記外部ハウジングから反射されるレーザー光を受光させるための受光ホールを備える内部ハウジングを含むことを特徴とする光ポインティングモジュールを提供するものである。
【００１７】
本発明の他の技術的な側面によると、前記内部ハウジングの前記通過溝の底面には前記受光ホールの縁に沿って前記通過溝の底面から前記受光ホールまであらかじめ設定された勾配を有する開口面が備えられることができる。
【００１８】
本発明の他の技術的な側面によると、前記内部ハウジングの前記通過溝の底面には前記透過ホールの縁に沿って前記通過溝の底面から前記透過ホールまであらかじめ設定された勾配を有する開口面が備えられることができる。
【００１９】
本発明の他の技術的な側面によると、前記受光部は前記外部ハウジングから反射されるレーザー光を受光するイメージセンサーを備えることができる。
【００２０】
本発明の他の技術的な側面によると、前記内部ハウジングはポリカーボネート（Ｐｏｌｙｃａｒｂｏｎａｔｅ）材質からなることができる。
【００２１】
本発明の他の技術的な側面によると、前記レーザー光源は垂直共振器表面発光レーザー（Ｖｅｒｔｉｃａｌ−Ｃａｖｉｔｙ  Ｓｕｒｆａｃｅ−Ｅｍｉｔｔｉｎｇ  Ｌａｓｅｒ；ＶＣＳＥＬ）であることができる。
【００２２】
本発明の他の技術的な側面によると、前記内部ハウジングは外部ハウジング内部面に相接する接触面をさらに備え、前記内部ハウジングの前記通過溝が形成される面は前記接触面で陥没されることができる。
【００２３】
本発明の他の技術的な側面によると、前記印刷回路基板の下面に形成されたドーム（ｄｏｍｅ）スイッチをさらに含むことができる。
【００２４】
本発明の他の技術的な側面によると、前記受光ホールの面積は前記透過ホールの面積より大きくすることができる。
【００２５】
上述の目的を達成するために、本発明の他の技術的な側面は、印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記外部ハウジングの内部面に相接する接触面を備え、前記接触面と前記通過溝が形成される面は互いに高さが相異なる内部ハウジングを有する光ポインティングモジュールと、前記光ポインティングモジュールを収納し、前記外部ハウジングを外部に露出させるケーシングと、前記光ポインティングモジュールの前記集積回路の信号処理によってイメージを表示するディスプレーを提供するものである。
【００２６】
これに加えて、上述の目的を達成するために、本発明のまた他の一つの技術的な側面は、印刷回路基板上に取付けられるレーザー光源と、前記レーザー光源から放出されるレーザー光が透過される外部ハウジングと、前記印刷回路基板上に位置し、外部刺激によって前記外部ハウジングから反射されるレーザー光を受光して集積回路に電気的信号を伝達する受光部と、前記外部ハウジングの内部に収容されて前記レーザー光が通過される通過溝が備えられ、前記通過溝の底面には前記レーザー光源から放出するレーザー光を透過させる透過ホールと前記外部ハウジングから反射されるレーザー光を受光させるための受光ホールを備える内部ハウジングを有する光ポインティングモジュールと、前記光ポインティングモジュールを収納し、前記外部ハウジングを外部に露出させるケーシングと、前記光ポインティングモジュールの前記集積回路の信号処理によってイメージを表示するディスプレーを提供するものである。
【発明の効果】
【００２７】
本発明によると、個人携帯端末機に採用可能であるように小型化されて、光ポインティングモジュール及び電子装置を軽薄短小化する効果がある。
【図面の簡単な説明】
【００２８】
【図１】本発明による光ポインティングモジュールの概略斜視図である。
【図２】本発明による光ポインティングモジュールの概略下部斜視図である。
【図３】本発明による光ポインティングモジュールの概略分解斜視図である。
【図４】本発明による光ポインティングモジュールの概略断面図である。
【図５】本発明による光ポインティングモジュールの内部ハウジングの上面図である。
【図６】本発明による光ポインティングモジュールを採用した電子装置の概略斜視図である。
【発明を実施するための形態】
【００２９】
以下、図面を参照して本発明を詳細に説明する。
【００３０】
図１は本発明による光ポインティングモジュールの概略斜視図であり、図２は本発明による光ポインティングモジュールの概略下部斜視図であり、図３は本発明による光ポインティングモジュールの概略分解斜視図である。
【００３１】
図１から図３を参照すると、本発明の一実施形態による光ポインティングモジュールは、外部ハウジング１００、内部ハウジング２００、受光部５００及びドームスイッチ６００を含むことができる。
【００３２】
外部ハウジング１００は後述するレーザー光源３１０から放出されるレーザー光が透過されて、外部刺激が入力される部分である。
【００３３】
前記外部ハウジング１００は、前記光ポインティングモジュールを構成する前記内部ハウジング２００及び受光部５００を収容し、一面が開口されたキャップ形状からなることができる。
【００３４】
前記外部ハウジング１００の上部面は光が透過される透過領域からなり、耐久性の増大及び作業性などを考慮して射出形成されることが好ましい。
【００３５】
また、前記外部ハウジング１００の形状は本実施形態のような四角形の形状に限定されず、本発明の思想を理解する当業者の水準で変更が可能であることを明らかにしておく。
【００３６】
前記内部ハウジング２００は前記外部ハウジング１００の内部に収容され、前記外部ハウジング１００と接する上部面に前記レーザー光が通過する通過溝２１０が形成されることができる。この際、通過溝２１０は隔壁によって突出形成される形状であるが、このような構造に限定されない。
【００３７】
前記通過溝２１０の内部面２１５は後述するレーザー光源３１０から放出されるレーザー光が前記外部ハウジング１００から反射されて集積回路３００のイメージセンサー（未図示）に受光されることにおいて、外部光を遮蔽する機能をする。
【００３８】
また、前記外部ハウジング１００の内部面に接する前記内部ハウジング２００の外部面も前記通過溝２１０の内部面２１５と同様に外部光を遮蔽する機能をする。
【００３９】
前記反射されたレーザー光は前記受光部５００の前記イメージセンサー（未図示）に受光され、前記集積回路３００を通じて後述する電子装置のディスプレー（未図示）上の位置を演算する。
【００４０】
ここで、前記外部光の流入は前記集積回路３００を通じて位置を演算することの妨げになり、前記ディスプレー（未図示）上に正確な位置を示すことができなくなる。
【００４１】
従って、前記外部ハウジング１００の内部面に接する前記内部ハウジング２００の外部面と前記通過溝２１０の内部面２１５によって外部光が遮蔽されて、前記通過溝２１０に関しては図４を参照して後述する。
【００４２】
前記内部ハウジング２００は通過溝２１０に透過ホール２２０、受光ホール２３０を備えることができる。
【００４３】
前記透過ホール２２０は前記通過溝２１０の底面に形成されて、前記レーザー光源３１０から放出されるレーザー光が前記外部ハウジング１００に入射される通路になり、前記透過ホール２２０を通過したレーザー光は前記外部ハウジング１００の一定領域を透過するようになる。
【００４４】
前記透過ホール２２０の形状は、円形の形状であることが好ましいが、必ずこれに限定されるものではない。
【００４５】
前記受光ホール２３０も前記通過溝２１０の底面に形成され、前記外部ハウジング１００を透過するレーザー光が外部刺激によって反射され、前記イメージセンサー（未図示）に受光されるようにする前記レーザー光の通路になり、四角形の形状であることが好ましいが、必ずこれに限定されるものではない。
【００４６】
前記収容溝２４０は前記受光部５００が収容される空間であり、図４を参照して後述する。
【００４７】
前記受光部５００は集積回路３００と回路基板４００を含むことができて、前記集積回路３００は前記イメージセンサー（未図示）を備えることができる。
【００４８】
前記集積回路３００の前記イメージセンサー（未図示）は前記内部ハウジング２００の受光ホール２３０を通過したレーザー光を受信し、ディスプレー（未図示）上の位置値に演算して、前記ディスプレー（未図示）に正確な位置を表示することができる。
【００４９】
前記回路基板４００はディスプレー（未図示）に正確な位置を表示するために、前記集積回路３００の電気的信号を前記ディスプレー（未図示）に伝達する機能をする。
【００５０】
前記回路基板４００上にはレーザー光の源になるレーザー光源３１０が位置することができる。
【００５１】
前記レーザー光源３１０は垂直共振器表面発光レーザー（ＶＣＳＥＬ：Ｖｅｒｔｉｃａｌ−ｃａｖｉｔｙ  ｓｕｒｆａｃｅ−ｅｍｉｔｔｉｎｇ  ｌａｓｅｒ）であることができる。
【００５２】
前記垂直共振器表面発光レーザー３１０は電気信号を光信号に変換するレーザーダイオードの一つである。
【００５３】
前記垂直共振器表面発光レーザー３１０は既存の側面発光半導体（ＦＰ、ＤＦＢ）レーザーを代替する新しい光源であり、赤外線発光ダイオード（ＬＥＤ）センサーモジュールのような光電センサーを代替して、精密光電センサーの製作を可能にすることができる。
【００５４】
前記積層セラミックスコンデンサー３２０はコンデンサーの一種であり、静電容量及び定格電圧の用途によって誘電体層と電極面積を小型薄膜で多層化したチップタイプのコンデンサーで、必要によって安定的に回路に電気を供給する機能をする。
【００５５】
前記ドームスイッチ６００は、外部刺激による正確な前記ディスプレー（未図示）上に位置を具現するために前記回路基板４００の下部に備えることが好ましい。
【００５６】
図４を参照すると、前記内部ハウジング２００は上述のように、通過溝２１０、透過ホール２２０及び受光ホール２３０の他に、収容溝２４０を備えることができる。
【００５７】
前記収容溝２４０は前記光ポインティングモジュールにおいて、部属素子などが位置する空間であり、前記光ポインティングモジュールを備える電子装置によって空間の大きさ及び部属素子の種類などが多様になることができる。
【００５８】
また、前記内部ハウジング２００は前記外部ハウジング１００に収容され、前記通過溝２１０、前記透過ホール２２０、前記受光ホール２３０及び前記収容溝２４０を除いては前記外部ハウジング１００の内面に接することが好ましい。
【００５９】
これは、上述のように前記外部ハウジング１００の内部面に接する前記内部ハウジング２００の外部面によって外部光を遮断する機能のためである。
【００６０】
ここで、前記内部ハウジング２００の材質はポリカーボネート（Ｐｏｌｙｃａｒｂｏｎａｔｅ）であることができる。ポリカーボネート（Ｐｏｌｙｃａｒｂｏｎａｔｅ）は炭酸塩を重合して作った樹脂で、金属のように硬く、酸と熱によく耐える性質を有している。
【００６１】
図５は本発明による光ポインティングモジュールの内部ハウジングの上面図であり、図６は本発明による光ポインティングモジュールを採用した電子装置の概略斜視図である。
【００６２】
図５に図示されたように、本発明による光ポインティングモジュールの内部ハウジング２００は、外部ハウジング１００の内部面に接触する外部面より高さが低いように陥没された通過溝２１０を備え、通過溝２１０はレーザー光が透過される透過ホール２２０と外部ハウジング１００の表面に位置した指などの外部刺激によって反射されたレーザー光を受光する受光ホール２３０を有することができる。
【００６３】
透過ホール２２０は通過溝２１０が形成された底面から透過ホール２２０の縁に沿って透過ホール２２０に向けて傾いた開口面２２１を有することができて、また、受光ホール２３０は前記底面から受光ホール２３０の縁に沿って受光ホール２３０に向けて傾いた開口面２３１を有することができる。
【００６４】
レーザー光の直進性及び反射されたレーザー光を受光する点を考慮すると、受光ホールの面積は透過ホールの面積より大きいことが好ましい。
【００６５】
図６を参照すると、本発明の光ポインティングモジュールに採用された電子装置、特に移動通信端末機１０００は、光ポインティングモジュール７００の外部ハウジングに指などを用いて刺激を与えることにより、移動通信端末機１０００のディスプレーに表示されたイメージを表示することができて、特に移動通信端末機１０００のディスプレーに表示されたカーソルの位置ｐ１、ｐ２を移動させることができる。
【００６６】
以上で説明した本発明は、上述の実施形態及び添付図面により限定されず、添付の請求範囲により限定されて、本発明の構成は本発明の技術的思想を外れない範囲内でその構成を多様に変更及び改造することができるということは本発明が属する技術分野で通常の知識を有する者は容易に分かる。
【符号の説明】
【００６７】
１００  外部ハウジング
２００  内部ハウジング
２１０  通過溝
２２０  透過ホール
２３０  受光ホール
３００  集積回路
３１０  レーザー光源
４００  回路基板
５００  受光部
６００  ドームスイッチ
【図１】
2011221986.tif 000003
【図２】
2011221986.tif 000004
【図３】
2011221986.tif 000005
【図４】
2011221986.tif 000006
【図５】
2011221986.tif 000007
【図６】
2011221986.tif 000008